(57)【特許請求の範囲】
【請求項１】
ステージＦからガス層３の入口１を介して入り込んだ豚Ｐを固定的に保定し、かつ、索条部材４を介してガス槽３内を移動する麻酔装置の動物保定器に於いて、外側フレーム構造部材Ａと、この外側フレーム構造部材内に上方から外方向へ回転可能に軸支された内側フレーム構造部材Ｂとから構成され、前記外側フレーム構造部材Ａの開口部１３を有する後方端面板１１の内壁面側上方中央部に、前記豚Ｐが潜り抜けることができるように豚用押え板２３を垂直状態から内方方向へ揺動可能に軸支し、この豚用押え板２３は、垂直杆状の枢着基杆部２４と、この枢着基杆部２４の下端部に枠状或いは二股状に連設する尻押え部２５とから成り、しかも、該豚用押え板２３は、前記外側フレーム構造部材の後方端面板１１と内側フレーム構造部材Ｂの後方フレーム板３１との隙間２７に設けられ、かつ、前記尻押え部２５の左右の下端部２５ａ、２５ａの壁面と前記後方端面板１１の左右部の壁面とが当接関係になるように垂下されていることを特徴とする麻酔装置の動物保定器。
【請求項２】
請求項１に於いて、請求項１に於いて、豚用押え板２３は、二股状の尻押え部２５の各下端部２５ａ、２５ａと後方端面板１１の左右部とが当接関係になるように逆Ｙ字型状に形成されていることを特徴とする麻酔装置の動物保定器。
【請求項３】
ステージＦからガス層３の入口１を介して入り込んだ豚Ｐを固定的に保定し、かつ、索条部材４を介してガス槽３内を移動する麻酔装置の動物保定器に於いて、外側フレーム構造部材Ａと、この外側フレーム構造部材内に上方から外方向へ回転可能に軸支された内側フレーム構造部材Ｂとから構成され、前記外側フレーム構造部材Ａの開口部１３を有する後方端面板１１Ａの内壁面に、前記豚が摺り抜けることができるように左右一対の豚用押え板２３Ａ，２３Ａを押込み観音開き状態に軸支し、これらの豚用押え板２３Ａ，２３Ａの対向側端面の間には、少なくとも豚Ｐの鼻先が自由に入り込む空間５１が設定され、また、豚用押え板２３Ａ，２３Ａは、前記内壁面側に設けられた付勢バネ５３のバネ力により初期位置に戻るように付勢され、かつ、該付勢バネ５３のバネ力によりに復帰した時、それらの枢着端部が後方端面板１１Ａの内壁面に受け止められることを特徴とする麻酔装置の動物保定器。
【請求項４】
ステージＦからガス層３の入口１を介して入り込んだ豚Ｐを固定的に保定し、かつ、索条部材４を介してガス槽３内を移動する麻酔装置の動物保定器に於いて、外側フレーム構造部材Ａと、この外側フレーム構造部材内に軸支された内側フレーム構造部材Ｂとから構成され、前記外側フレーム構造部材Ａの開口部１３を有する後方端面板１１Ｂの内壁面に、豚Ｐを通すことができる開口６５を有するスライド枠型の豚用押え板２３Ｂを、麻酔装置を構成する縦方向シリンダ８の作動杆９の上端部に固定された受板１０に追動するように設けたことを特徴とする麻酔装置の動物保定器。
【請求項５】
請求項４に於いて、小動物Ｐが動物保定器Ｙ２に完全に入り込んだ後に、縦方向シリンダ８の作動杆９が収縮すると、豚用押え板２３Ｂの上部が、豚の尻部に当接可能な状態まで下降することを特徴とする麻酔装置の動物保定器。
【発明の詳細な説明】
【０００１】
【発明の属する技術分野】
本発明は小動物、特に豚を屠殺する場合に使用される麻酔装置の動物保定器に関する。
【０００２】
【従来の技術】
麻酔対象の小動物（豚）は、追込み通路に繋がっているステージからガス層の入口を介して動物保定器に入り込み、炭酸ガスで適宜に麻酔された後に、ガス槽の出口から受取りテーブルへと出される。小動物用麻酔装置は、ガス層内を、索条部材を介して移動する複数個の動物保定器を備えている。各動物保定器は、麻酔後の小動物を受取りテーブルへと滑り落とした後は、再びガス層の入口へと移動し、そこで一時停止し、次の小動物を受け入れる。
【０００３】
したがって、この種の動物保定器は、ガス層の入口と対向する側の端面板に、小動物収納用開口部を有している。この小動物収納用開口部は、例えば屠殺対象の豚が入り込むのに十分な間口であることを必要とするので、比較的に大きい。そのために、麻酔対象の小動物が、ガス層の入口から動物保定器に入り込んだ場合後に、麻酔時、もがき、暴れるため、小動物のお尻が後方端面板の収納用開口部から食み出るような格好になる。このような場合は、小動物が所望の保定位置からズレるので、小動物の尻部が索条部材に絡まったりし、或いは小動物の尻部が索条部材などに切り取られる事態が発生する。その結果、尻部が切断、裂傷、打ち身による損傷を受けるという問題があった。加えて、小動物が動物保定器内で著しく暴れると、開口部から落下するという事態も発生し、そのため麻酔装置の運転を停止せざるを得ないという問題点もあった。
【０００４】
【発明が解決しようとする課題】
本発明は以上のような従来の欠点に鑑み、第１の目的は、動物保定器に入り込んだ小動物（豚）を保定する直前に、当該小動物がバックし、その結果、尻部が動物保定器の開口部から食み出るような状態を防止することである。第２の目的は、小動物（豚）の尻部が索条部材によって損傷を受けること、小動物（豚）が落下して運転停止の事態が発生することなどの不具合が発生することを未然に防止することである。第３の目的は、合理的な構成を採用することにより、組立を容易に行うことができることである。
【０００５】
【課題を解決するための手段】
本発明の麻酔装置の動物保定器は、ステージＦからガス層３の入口１を介して入り込んだ豚Ｐを固定的に保定し、かつ、索条部材４を介してガス槽３内を移動する麻酔装置の動物保定器に於いて、外側フレーム構造部材Ａと、この外側フレーム構造部材内に上方から外方向へ回転可能に軸支された内側フレーム構造部材Ｂとから構成され、前記外側フレーム構造部材Ａの開口部１３を有する後方端面板１１の内壁面側上方中央部に、前記豚Ｐが潜り抜けることができるように豚用押え板２３を垂直状態から内方方向へ揺動可能に軸支し、この豚用押え板２３は、垂直杆状の枢着基杆部２４と、この枢着基杆部２４の下端部に枠状或いは二股状に連設する尻押え部２５とから成り、しかも、該豚用押え板２３は、前記外側フレーム構造部材の後方端面板１１と内側フレーム構造部材Ｂの後方フレーム板３１との隙間２７に設けられ、かつ、前記尻押え部２５の左右の下端部２５ａ、２５ａの壁面と前記後方端面板１１の左右部の壁面とが当接関係になるように垂下されていることを特徴とする。
【０００６】
また本発明の麻酔装置の動物保定器は、ステージＦからガス層３の入口１を介して入り込んだ豚Ｐを固定的に保定し、かつ、索条部材４を介してガス槽３内を移動する麻酔装置の動物保定器に於いて、外側フレーム構造部材Ａと、この外側フレーム構造部材内に上方から外方向へ回転可能に軸支された内側フレーム構造部材Ｂとから構成され、前記外側フレーム構造部材Ａの開口部１３を有する後方端面板１１Ａの内壁面に、前記豚が摺り抜けることができるように左右一対の豚用押え板２３Ａ，２３Ａを押込み観音開き状態に軸支し、これらの豚用押え板２３Ａ，２３Ａの対向側端面の間には、少なくとも豚Ｐの鼻先が自由に入り込む空間５１が設定され、また、豚用押え板２３Ａ，２３Ａは、前記内壁面側に設けられた付勢バネ５３のバネ力により初期位置に戻るように付勢され、かつ、該付勢バネ５３のバネ力によりに復帰した時、それらの枢着端部が後方端面板１１Ａの内壁面に受け止められることを特徴とする。
【０００７】
さらに、本発明の麻酔装置の動物保定器は、ステージＦからガス層３の入口１を介して入り込んだ豚Ｐを固定的に保定し、かつ、索条部材４を介してガス槽３内を移動する麻酔装置の動物保定器に於いて、外側フレーム構造部材Ａと、この外側フレーム構造部材内に軸支された内側フレーム構造部材Ｂとから構成され、前記外側フレーム構造部材Ａの開口部１３を有する後方端面板１１Ｂの内壁面に、豚Ｐを通すことができる開口６５を有するスライド枠型の豚用押え板２３Ｂを、麻酔装置を構成する縦方向シリンダ８の作動杆９の上端部に固定された受板１０に追動するように設けたことを特徴とする。
【０００８】
【発明の実施の形態】
図１ないし図１３を参照に第１実施例を説明する。まず、図１及び図２を参照に全体の環境について簡単に説明する。Ｘは小動物、例えば豚を二酸化炭素で麻酔する麻酔装置である。この麻酔装置Ｘは、小動物Ｐの入口１および出口２とが形成されたガス槽３と、このガス槽３に設けられた図示しない駆動源と、この駆動源によりガス槽内で回転する索条部材４と、この索条部材４を案内する複数個の回転部材５と、前記索条部材４に所定間隔で取付けられた複数個の動物保定器Ｙと、ガス槽内の適宜箇所に設けられた動物保定器Ｙ用ガイド部材とを備えている。
【０００９】
また、ガス層３内の入口１付近には、追込通路側のステージＦから前記入口１を介して一時停止中の動物保定器Ｙに入り込んだ小動物Ｐを一旦支持する支持装置６が配設されている。
【００１０】
この支持装置６は、図３で示すように、ガス層３内に適宜に固設された支持台７の上面に垂直方向に設けられた縦方向シリンダ８と、この縦方向シリンダ８の作動杆９の突出上端部に水平状態に固定され、かつ、前記動物保定器Ｙに入り込んだ小動物Ｐの脚を受ける昇降式受板１０とから成る。
【００１１】
なお、縦方向シリンダ８は、本実施例では垂直シリンダを用い、受板１０は昇降動するが、設計如何によっては、縦方向シリンダ８を支持台７の上面に傾倒状態に設け、作動杆９の上端部を受板１０の一端部に枢着し、受板１０の他端部を支点として該受板を所要量回動するよう構成しても良い。
【００１２】
次に図４ないし図７は本発明の主要部である動物保定器Ｙの一実施例を示す。この動物保定器Ｙはガス槽３の入口１から該ガス槽内に入って来る小動物Ｐを固定的に保持する構造であり、前後の索条部材４に運搬される外側フレーム構造部材Ａと、この外側フレーム構造部材内に上方から外方向へと回転可能に設けられた内側フレーム構造部材Ｂとから構成されている。
【００１３】
そこで、まず外側フレーム構造部材Ａから説明する。図５で示すように、１１、１２は所定間隔を有して対向する前後の端面板である。これらの端面板の内、符号１１は、図３を基準とした場合右側が小動物Ｐの入口１側に対面する後方端面板であり、ややＯ字型状の開口部１３を有している。この開口部１３は、動物保定器Ｙがセッテイング位置で一時停止した時にガス槽３の入口１と対向する。
【００１４】
一方、左側は前方端面板１２である。この前方端面板１２は、本実施例では盲状で開口部を有しないが、後方端面板１１と同様に開口部を形成し、小動物Ｐを止める柵を設けることもできる。「ここで後方端面板１１」とは、動物保定器Ｙ内に小動物Ｐが入った場合、そのお尻側に位置する垂直フレームを意味する。したがって、前方端面板１２には小動物Ｐの頭が来る。
【００１５】
１４は各端面板１１、１２の左側中央部に形成された前後一対の係合切欠部である。これらの係合切欠部１４には、後述する内側フレーム構造部材Ｂの係合手段３３の端部が係合する。１６は前後の端面板１１、１２の上方中央部を貫通する中心軸である。この中心軸１６の突出両端部に前述した索条部材４がそれぞれ取付けられる。
【００１６】
１７は前後の端面板１１、１２を固定的に連結する複数本の連結棒である。これらの連結棒１７は上方に柵状に横架されている。１８は前後の端面板１１、１２の一方側の下部に横設軸架された下方枢支軸である。この下方枢支軸１８は、図４で示すように内側フレーム構造部材Ｂの対向フレームの一方側下端部を貫通している。
【００１７】
ここで、本発明の要部について説明する。２１は後方端面板１１の内壁面の上方中央部に突設された左右一対の支板（軸受）で、これらの支板２１，２１には横軸２２が軸架されている。
【００１８】
２３は横軸２２を介して後方端面板１１の内壁面の上部に回転可能に設けられた小動物用押え板である。この押え板２３は、本実施例では全体として逆Ｙ字型状に形成され、後方端面板１１の開口部１３に小動物が潜り抜けることができるように後方端面板１１の内壁面の上部から垂下している。この押え板２３は、垂直杆状の枢着基杆部２４と、この枢着基杆部２４の下端部に山形状に連設する尻押え部２５とから成り、後方端面板１１と内側フレーム構造部材Ｂの後方フレーム板との隙間２７に揺動可能に設けられている。
【００１９】
しかして、押え板２３は、常態では横軸２２を介して垂直状態に垂れ下がっているが、小動物Ｐが後方端面板１１の開口部１３に頭を入れ、次いで、鼻ないし頭を二股状或いは逆Ｖ字型状の尻押え部２５内の空間部２６へと突っ込んだ後には、少なくとも後方端面板１１を通過中の当該小動物の首部ないし背中と摺接して内方方向へ傾倒状態となる。そして、後方端面板１１を通過した直後に自重により常態へと戻り、当該小動物Ｐの尻部に対して山形状に当接可能な状態と成る。
【００２０】
また押え板２３は、セッテイング時のバック止め機能、麻酔時の落下防止機能を十分に果たせるように、後方端面板１１の内壁面１１ａに「例えば三点」で当るように長さ寸法が設定されている。
【００２１】
すなわち、１点は押え板２３の枢着基杆部２４の上部壁面と後方端面板１１の上方中央部壁面との当接関係であり、他の２点は押え板２３の二股状の尻押え部２５の各下端部２５ａ、２５ａの壁面と後方端面板１１の左右部の壁面との当接関係である。
【００２２】
ところで、押え板２３は、横軸２２を基準として、後方端面板１１の外方向には回転しない反面、動物保定器の内方向へ回転する必要がある。そこで、本実施例では内側フレーム構造部材Ｂの後方フレーム板３１と衝突しないように、後方端面板１１の開口部１３の横幅寸法ａを後方端面板１１の横幅寸法ｂよりも多少小さく設定してある。
【００２３】
また押え板２３の形態に関しては、本実施例では逆Ｙ字型状に形成されているが、必ずしもこれに限定するものではない。セッテイング時のバック止め機能並びに麻酔時の落下防止機能を発揮させることができるのであれば、枢着基杆部２４を２本にすることもできるし、また、二股状の尻押え部２５を下向きコ字型状、逆Ｕ字型状などに設計変更することも可能である。
したがって、本実施例の押え板２３は、上部側が後方端面板１１の上部に枢着され、一方、下部側は小動物が摺接状態で潜り抜けることが出来ると共に、潜り抜けた後に下部側が当該小動物の尻部を押え付けることができるような二股形状であれば良い。
【００２４】
また、押え板２３は、後方端面板１１の内壁面１１ａに「三点」で当るように長さ寸法が設定されているが、上部側が後方端面板１１の上部に枢着されているから、少なくとも、二股状の尻押え部２５の各下端部２５ａ、２５ａの壁面と後方端面板１１の左右部の壁面とが当接関係にあれば十分である。換言すれば、押え板２３は、各下端部２５ａ、２５ａと後方端面板１１の左右部とが当接可能に垂れ下がっていれば良い。
【００２５】
なお、押え板２３は、本実施例では横軸２２を介して後方端面板１１に設けられているが、設計如何によっては、横軸に代え、例えば押え板２３の左右側壁に支板（軸受）２１，２１と係合する突起軸を設けても良い。
次に内側フレーム構造部材Ｂについて説明する。この内側フレーム構造部材Ｂは、動物保定器Ｙに入り込んだ小動物Ｐを直接保持する動物保持体としての機能を有する。
【００２６】
３１、３２は前述した端面板１１、１２の内壁と対向する前後のフレーム板である。外側フレーム構造部材Ａの端面板１１、１２に対応して言えば、符号３１は後方フレーム板であり、一方、３２は前方フレーム板である。これらのフレーム板３１，３２は、端面板１１、１２よりも高さ寸法が短く設定されており、一方側の上端部はやや先細り状となっている。
しかして、３３は前記先細り状の上端部に横設され、かつ、突出両端部３３ａ，３３ａが前述した係合切欠部１４，１４に係脱する係合棒である。この係合棒３３は、ガス層３の出口２付近に設けられたガイド手段あるいは被係合手段と係脱可能である。
【００２７】
３４は後方フレーム板３１に形成されたやや大きなＵ字型状の入口切欠部で、この入口切欠部３４は、後方端面板１１の開口部１３と連通状態に対向するものの、前述したように、横幅寸法ｂは、後方端面板１１の横幅寸法ａよりも若干大き目に設定されている。
【００２８】
３６、３７はフレーム板３１，３２の内壁面に直交するように固定され、かつ、下方に小動物Ｐの足が入り込む下方間隙３８を有する左右で１組の保定側板である。左右の保定側板３６，３７は小動物Ｐの胴体の下側を挟持することができるようにそれぞれ弧状に形成されている。また左側の保定側板３６の上端部は、係合棒３３を基準にして傾斜状の案内部となっている。
なお、前記係合手段３３の突出両端部には、摺動ローラ３９が設けられている。また、フレーム板３１，３２の一方側の下部には、下方枢支軸１８用の貫通孔４０が形成されている。
【００２９】
次にガス層３の入口１には小動物（例えば豚）Ｐを動物保定器Ｙに入れるためのステージＦがある。このステージＦは図示しない追込み用の通路につながっている。
【００３０】
上記構成に於いて、駆動モータが駆動すると、索条部材４が図１で示す矢印方向に移動する。これにより動物保定器Ｙは、ガス槽３内に於いて小動物を保持しながら間欠的に循環移動する。動物保定器Ｙはガス槽３内を移動中、係合手段３３と係合片（図示しない）とが係合し、或いは係合手段３３がガス層３内に配設されたガイドレール等にスライドする。
【００３１】
また麻酔対象の小動物Ｐは、ステージＦからガス層３の入口１を介して動物保定器Ｙに入り込み、適宜に麻酔された後にガス槽３の出口２から受取りテーブルＴへと出される。また動物保定器Ｙはガス槽３の出口２に於いて、内側フレーム構造部材Ｂが上方から回転すると、当該小動物Ｐは受取りテーブルＴへと滑り落ちて行く。したがって、動物保定器Ｙは、その後ガス層３の入口１にて当該動物保定器Ｙに小動物Ｐが入り込むまでは空っぽの状態である。
【００３２】
そこで、本発明の主要部の作用について説明する。図３は「空っぽ」の動物保定器Ｙが、ガス層３の入口１付近へと移動し、一時停止する前の一例を示した説明図である。この時縦方向シリンダ８の作動杆９は収縮し、受板１０は動物保定器Ｙの左右の保定側板３６，３７から離れている。また動物保定器Ｙの押え板２３は垂直状態である。
【００３３】
図８は動物保定器Ｙがガス層３の入口１で一時停止した時の一例を示す説明図である。この時縦方向シリンダ８の作動杆９が伸長する。そうすると、作動杆８の受板１０が動物保定器Ｙの下端面に当接する。これにより動物保定器Ｙは安定的に支持される。
【００３４】
図９はステージＦにいた小動物Ｐが押え板２３の空間部２６を潜ろうとして動物保定器Ｙ内に入り込む時の一例を示す説明図である。前述したように押え板２３は、常態では横軸２２を介して垂直状態に垂れ下がっているが、小動物Ｐが後方端面板１１の開口部１３に頭を入れ、次いで、鼻ないし頭を二股状の尻押え部２５内の空間部２６へと突っ込むと、後方端面板１１を通過中の当該小動物の首部ないし背中と摺接して傾倒状態となる。そして、当該小動物Ｐが後方端面板１１を通過した直後に自重で常態に戻り、当該小動物Ｐの尻部に対して「ハの字型」に当接可能な状態と成る。
【００３５】
したがって、当該小動物Ｐが保定直前に動物保定器Ｙの後方へと後ずさりしても、図１１で示すように押え板２３の山形状尻押え部２５が当該小動物の尻部に当るので、所望する保定位置に小動物を留めておくことができる。
【００３６】
ところで、小動物Ｐは動物保定器Ｙ内に入り込むと、受板１０上で支持されるが、図１０で示すように左右の保定側板３６，３７にまだ保定されていない間は、動物保定器Ｙ内で自由に動くことができる。この時小動物Ｐが後ずさりしてその尻部が押え板２３の尻押え部２５に当っても、該押え板２３の各下端部２５ａ、２５ａの壁面と後方端面板１１の左右部の壁面とが少なくとも二点当接関係にあるので、押え板２３の外方向への回転は確実に阻止される。
【００３７】
図１２及び図１３は縦方向シリンダ８の作動杆９が収縮した場合の説明図である。作動杆９が収縮すると受板１０が下降する。この時小動物Ｐはその重みで当然下降するが、下降すると、左右の保定側板３６，３７で支持される。この時小動物Ｐの尻部の位置も図１３に示すように下降するが、お尻の上部側が、依然と押え板２３に規制されている。
したがって、麻酔時にも、動物保定器Ｙ内の小動物Ｐは、押え板２３に囲まれた格好となるので、尻部の損傷、尻部からの落下などを防止することができる。
【００３８】
なお、上記縦方向シリンダ８の作動杆９の伸長時期、収縮時期等は、図示しないリミットスイッチの検知信号、検知信号を処理する制御手段によってなされる。
【００３９】
【実施例】
第１実施例の逆Ｙ字型状の小動物用押え板２３は、垂直杆状の枢着基杆部２４と、この枢着基杆部２４の下端部に山形状に連設する尻押え部２５とから成る。この場合山形状の尻押え部２５が小動物（特に豚）の鼻に接近すると、小動物は、スムースにガス層に入り込まないので、望ましくは、山形状の尻押え部２５を図示（図１１，図１３）した位置よりもやや高めに設定すべきである。
【００４０】
次に、この欄では動物保定器Ｙの他の実施例について説明する。なお、他の実施例の説明にあたって、第１実施例と同一又は同様の部分には、同一又は同様の符号を付し、重複する説明を省略する。
【００４１】
図１４乃至図１９に示す第２実施例の動物保定器Ｙ１に於いて、第１実施例と主に異なる点は次のとおりである。
【００４２】
（ａ）小動物用押え板のタイプ並びに枢着位置である。第１実施例の小動物用押え板２３は逆Ｙ字型であるが、第２実施例の小動物用押え板２３Ａ，２３Ａは押込み観音開き型であり、しかも、左右一対の押え板２３Ａ，２３Ａの対向側端面の間には、少なくとも小動物Ｐの鼻先が自由に入り込む空間５１が設定されている。この空間５１は望ましくは麻酔対象の豚の頭が自由に入り込む程度に設定すべきである。そして、左右一対の押え板２３Ａ，２３Ａは、図１６で示すように後方端面板１１Ａの内壁面１１ａの左右中央部に内方方向へのみ回転可能に枢着されている。
【００４３】
（ｂ）しかして、符号２１Ａは左右上下の一対の支板で、これらの支板２１Ａは、前記内壁面１１ａの開口部１３Ａ寄りの部位に計４個溶着されている。図１６で示すように、５２は計２本の枢軸で、これらの枢軸５２は、前記上下の支板２１Ａ，２１Ａ並びに押え板２３Ａの枢着端部をそれぞれ貫通する。５３は押え板２３Ａ用付勢バネで、この付勢バネ５３は、押え板２３Ａの枢着端部の中央部に形成されたバネ装着用切欠部５４に枢軸５２を介して組み込まれる。付勢バネ５３は、その一端部は内壁面１１ａに圧接し、他端部は押え板２３Ａの内壁面に圧接する。
【００４４】
（ｃ）上記構成に於いて、小動物Ｐが動物保定器Ｙ１に入り込む際には、図１８で示すように左右一対の押え板２３Ａ，２３Ａを押し退けるように入り込む。この時小動物Ｐは、まず、鼻先を空間５１に突っ込むようにして開口部１３Ａから入り込む。次いで動物保定器内に入り込むと、左右一対の押え板２３Ａ，２３Ａの対向側端部が当該小動物の胴体に押し退けられ、枢軸５２を支点に内方方向へと回転する。
【００４５】
（ｄ）図１９で示すように小動物Ｐが動物保定器Ｙ１内に完全に入り込むと、左右一対の押え板２３Ａ，２３Ａは、付勢バネ５３のバネ力によりに復帰するが、この時、押え板２３Ａ，２３Ａの枢着端部が後方端面板１１Ａの内壁面に受け止められる。したがって、押え板２３Ａ，２３Ａは、ストッパー機能を有する内壁面の縁部より外方向へは回転しない。しかして、動物保定器内に収納された小動物Ｐは、左右の保定側板３６，３７に保定された時でも、第１実施例と同様にその尻部は押え板２３Ａ，２３Ａにより規制を受ける。
【００４６】
次に図２０乃至図２５に示す第３実施例の動物保定器Ｙ２に於いて、第１実施例と主に異なる点は、次のとおりである。
【００４７】
（ａ）小動物用押え板のタイプである。第１実施例の小動物用押え板２３は逆Ｙ字型でかつ揺動型あるが、第３実施例の小動物用押え板２３Ｂは、上下方向スライドシャッター型である。
【００４８】
（ｂ）しかして、符号６１は、後方端面板１１Ｂの内壁面１１ａの適宜箇所に設けられた複数個のガイド片で、これらのガイド片６１に１枚の門型押え板２３Ｂがスライド自在に嵌め込まれている。門型押え板２３Ｂは、横板状尻押え部６２と、この尻押え部６２の両端部から下方方向へと連設する左右一対の係合杆部６３，６３とから構成され、前記係合杆部６３，６３の外側壁には、上部寄りの部位から下端面に至るまで垂直線状に係合溝６４，６４が形成されている。したがって、門型押え板２３Ｂは、これらの係合溝６４，６４及び左右のガイド片６１，６１を介して後方端面板１１Ｂの内壁面１１ａにスライド自在に係合している。
【００４９】
（ｃ）上記構成に於いて、セッテイング時、門型押え板２３Ｂは上昇してきた受板１０に支持されるので、左右の係合杆部６３，６３を介して上方に位置している。この時、門型押え板２３Ｂの内部空間６５と後方端面板１１Ｂの開口部１３Ｂとは、小動物Ｐが入り込むことができるように連通しているので、小動物Ｐは動物保定器Ｙ２に入ることができる。
【００５０】
（ｄ）小動物Ｐが動物保定器Ｙ２に完全に入り込んだ後に、縦方向シリンダ８の作動杆９が収縮する。縦方向シリンダ８の作動杆９が収縮すると、受板１０が下降するから、これに追従して門型押え板２３Ｂも下降する。その結果、門型押え板２３Ｂは、左右のガイド片６１，６１に支持される所まで下降し、上部の横板状尻押え部６２が開口部１３Ｂの下部寄りの部位を塞ぐ格好になる。
【００５１】
したがって、動物保定器内に収納された小動物Ｐは、左右の保定側板３６，３７に保定された時でも、第１実施例と同様にその尻部は押え板２３Ｂの上部により規制を受ける。なお、この実施例では押え板２３Ｂが門型形状であることを説明したが、門型であることは発明の特定要件ではなく、例えばトラック形状、矩形枠形状であっても良い。つまり、押え板２３Ｂは小動物を通すことができる開口６５を有するスライド枠型の部材であれば良い。
【００５２】
【発明の効果】
以上の説明から明らかなように、本発明にあっては、次に列挙するような効果がある。
（１）後方端面板の内壁面側に小動物用押え板を回転自在又は上下スライド自在に設けたので、小動物の尻部が索条部材に絡まったりし、或いは小動物の尻部そのものが索条部材などによって損傷を受けない。
（２）その結果、発明の課題で述べたように、小動物の落下によって、運転を停止しなければならないという事態も防止することができる。
（３）構成する部品点数が少ないので、組立を容易に行うことができる。
（４）小動物を確実に保定しながら麻酔運搬することができる。
【図面の簡単な説明】
図１乃至図１３は本発明の第１実施例を示す各説明図。図１４乃至図１９は、動物保定器の第２実施例を示す各説明図。図２０乃至図２５は、動物保定器の第３実施例を示す各説明図である。
【図１】発明の実施形態の一例を示す概略説明図。
【図２】ガス層の入口と動物保定器の開口部との関係を示す説明図。
【図３】動物保定器が空っぽの状態でガス層の入口付近に近づいてきた時の説明図。
【図４】主要部の斜視図。
【図５】動物保定器の分解斜視図。
【図６】後方端面板を内壁面側から見た説明図。
【図７】図６の７−７線断面図。
【図８】シリンダの作動杆が伸長し、セッテイングの準備が完了した概略説明図。
【図９】小動物が後方端面板を潜り抜けようとした時の概略説明図。
【図１０】動物保定器内に入り込んだ時の概略説明図。
【図１１】図１０に於いて、押え板と小動物の位置関係を示す説明図。
【図１２】動物保定器のセッテイング状態が完了した時の説明図。
【図１３】図１２に於いて、動物保定器、押え板等と小動物の位置関係を示す説明図。
【図１４】動物保定器の第２実施例を示す主要部の斜視図。
【図１５】動物保定器の分解斜視図。
【図１６】内壁面から見た要部の説明図。
【図１７】内壁面から見た要部の分解斜視図。
【図１８】小動物の通過途中の一例を示す概略説明図。
【図１９】通過後の一例を示す概略説明図。
【図２０】動物保定器の第３実施例を示す主要部の斜視図。
【図２１】動物保定器の分解斜視図。
【図２２】内壁面から見た要部の説明図。
【図２３】内壁面から見た要部の分解斜視図。
【図２４】小動物の通過途中の一例を示す概略説明図。
【図２５】通過後の一例を示す概略説明図。
【符号の説明】
Ｘ…麻酔装置、Ｐ…小動物、１…入口、２…出口、３…ガス層、５…回転部材、６…支持装置、７…支持台、８…縦方向シリンダ、９…作動杆、１０…受板、Ｙ，Ｙ１，Ｙ２…動物保定器、Ａ…外側フレーム構成部材、Ｂ…内側フレーム構成部材、１１，１１Ｂ…後方端面板、１１ａ…内壁面、１２，１２Ｂ…前方端面板、１３，１３Ａ，１３Ｂ…開口部、１４…係合切欠部、１６…中心軸、１７…連結棒、１８，１８Ｂ…下方枢支軸、２１，２１Ａ…支板、２２，２２Ｂ…横軸、２３，２３Ａ，２３Ｂ…押え板、２４…枢着基杆部、２５…尻押え部、２５ａ…下端部、２６…空間部、２７…間隙、３１…後方フレーム板、３２…前方フレーム板、３３…係合棒、３４…入口切欠部、３６…左側の保定側板、３７…右側の保定側板、５１…空間、５２…枢軸、５３…付勢バネ、５４…バネ装着用切欠部、６１…ガイド片、６２…尻押え部、６３…係合杆部、６４…係合溝、６５…開口、Ｆ…ステージ。
【図１】
0004395274.tif 000002
【図２】
0004395274.tif 000003
【図３】
0004395274.tif 000004
【図４】
0004395274.tif 000005
【図５】
0004395274.tif 000006
【図６】
0004395274.tif 000007
【図７】
0004395274.tif 000008
【図８】
0004395274.tif 000009
【図９】
0004395274.tif 000010
【図１０】
0004395274.tif 000011
【図１１】
0004395274.tif 000012
【図１２】
0004395274.tif 000013
【図１３】
0004395274.tif 000014
【図１４】
0004395274.tif 000015
【図１５】
0004395274.tif 000016
【図１６】
0004395274.tif 000017
【図１７】
0004395274.tif 000018
【図１８】
0004395274.tif 000019
【図１９】
0004395274.tif 000020
【図２０】
0004395274.tif 000021
【図２１】
0004395274.tif 000022
【図２２】
0004395274.tif 000023
【図２３】
0004395274.tif 000024
【図２４】
0004395274.tif 000025
【図２５】
0004395274.tif 000026